(57)【要約】【構成】本発明の毛染め用具は、把持部、この先端に設けられ、染毛剤塗布作用を行うための塗布部、及び該塗布部の先端または後端から該塗布部の長さ方向に所定間隔離隔されて配置され、塗布部の先端部における高さより高い高さを有し、染毛者の地肌に接触された状態で、該染毛者の地肌表面と前記塗布部との相対角度ないしは間隔を決定する際に使用される間隔保持支点部材を備えていることを特徴とする。【課題】本発明は、毛染め中における染毛剤の地肌への付着をほぼ完全に防止できる毛染め用具を提供することを目的とする。【選択図】　　　図１２
2004105691.tif 000002
【特許請求の範囲】
【請求項１】
把持部、この先端に設けられ、染毛剤塗布作用を行うための塗布部、及び該塗布部の先端または後端から該塗布部の長さ方向に所定間隔離隔されて配置され、塗布部の先端部における高さより高い高さを有し、染毛者の地肌に接触された状態で、該染毛者の地肌表面と前記塗布部との相対角度ないしは間隔を決定する際に使用される間隔保持支点部材を備えていることを特徴とする毛染め用具。
【請求項２】
染毛剤を収容した容器とともに使用される毛染め用具であって、前記容器のキャップとしても作用する把持部、この把持部に取り付けられ、該把持部が前記容器に取り付けられているときには、該容器内に挿入されている染毛剤塗布作用を行うための塗布部、及び該塗布部の先端または後端から該塗布部の長さ方向に所定間隔離隔されて配置され、塗布部の先端部における高さより高い高さを有し、染毛者の地肌に接触された状態で、該染毛者の地肌表面と前記塗布部との相対角度ないしは間隔を決定する際に使用される間隔保持支点部材を備え、この間隔保持支点部材は、前記塗布部の先端または後端から該塗布部の長さ方向に所定間隔離隔されて配置された前記作用位置から離脱可能とされていることを特徴とする毛染め用具。
【請求項３】
染毛剤を収容した容器とともに使用される毛染め用具であって、前記容器のキャップとしても作用する把持部、この把持部に取り付けられ、該把持部が前記容器に取り付けられているときには、該容器内に挿入されている染毛剤塗布作用を行うための塗布部、及び該塗布部の先端または後端から該塗布部の長さ方向に所定間隔離隔されて配置され、塗布部の先端部における高さより高い高さを有し、染毛者の地肌に接触された状態で、該染毛者の地肌表面と前記塗布部との相対角度ないしは間隔を決定する際に使用される間隔保持支点部材を備え、この間隔保持支点部材は、前記塗布部の先端または後端から該塗布部の長さ方向に所定間隔離隔されて配置された前記作用位置と、この作用位置から離れた不作用位置との間で移動できるようになっていることを特徴とする毛染め用具。
【請求項４】
前記不作用位置が、前記把持部の内部である請求項３の毛染め用具。
【請求項５】
前記作用位置が、毛染め作業をしやすくするために、複数存在する請求項３または４の毛染め用具。
【請求項６】
前記間隔保持支点部材は、繰り出し機構に接続された支持部材により支持されており、繰り出し機構を操作することにより、前記間隔保持支点部材を、前記不作用位置から前記作用位置に繰り出すことができるようになっている請求項４または５の毛染め用具。
【発明の詳細な説明】
【０００１】
【発明の属する技術分野】
本発明は、毛染め用具に関する。
【０００２】
【従来の技術】
特に、局部染はブラシ・ハケ・櫛・ヘアーブラシその他専用塗布具を使用しているが、生え際等は皮膚に塗布具が触れて汚してしまう。
また、髪全体を毛染しても、日が経過すると生え際の地の色（染める前の色）が１列に異常な感じで目立つようになる。
地の色（元の色）が目立つようになるたびに髪全体を染めるなど、とてもやっかいなことである。元の色が目立ちはじめたら目立ったところだけを塗布すればよい。しかし、生え際であるから塗布具で塗ることが、際へ塗れば塗るほど皮膚に近くなって皮膚に液を付けてしまう。塗布具と皮膚の間隔を、鏡による目の感覚だけで距離を測るがどうしても生え際への塗布は皮膚にまで汚れるほど近づかないと上手く塗布できないという問題がある。
【０００３】
このような問題を解決するため、実開平６−３６４２４号公報においては、次のようなヘアブラシが提案されている。すなわち、この公開公報に開示されたヘアブラシは、ブラシ台と、前記ブラシ台に連結されたブラシ柄と、前記ブラシ台下面に長辺とほぼ平行に立設された複数のブラシ歯列を備え、前記複数のブラシ歯列には、少なくとも前記ブラシ台下面の両縁部に立設された両縁ブラシ歯列と、中央に立設された中央部ブラシ歯列とが存在し、前記両縁部ブラシ歯列と中央部ブラシ歯列とにより囲まれる二つの領域に、毛髪化粧料を付着させて髪を梳くことにより毛髪化粧処理を行うヘアブラシにおいて、前記ブラシ台の下面のブラシ歯列の中で、前記中央のブラシ歯列を形成するブラシ歯の先端部が他のブラシ歯よりも突出していることを特徴とする。
【０００４】
【特許文献１】
実開平６−３６４２４号公報
【０００５】
しかしながら、このようなヘアブラシを実際に作成して生え際の毛染めを行ったところ、毛染めの最中に染毛剤が前記中央部ブラシ歯列のブラシ歯の先端に付着してしまい、この先端に付着した染毛剤が地肌に付着してしまうという問題があった。このように染毛剤が皮膚に付着してしまうと、これを拭き取るのに、時間が少し経てば乾いてしまって、アルコールまたは専用のリムーバー等を使用しなければならず、大変手間がかかり面倒である。
このような問題に鑑み、本発明者は、他より突出する中央部ブラシ歯列のブラシ歯のうちブラシの長手方向の先端部のブラシ歯のみを残して、これにより毛染めを行ったところ、前回よりは、染毛剤の地肌への付着が少なくなったものの完全には、染毛剤の地肌への付着を防止することができなかった。
その原因を鋭意研究したところ、毛染め中に染毛剤が僅かな距離ではあるが飛散し、この飛散した染毛剤が上記のブラシ歯の先端に付着したり、あるいは斜め塗布により、毛に塗布された染毛剤が上記のブラシ歯の先端に付着し、これが地肌に付着することを知見した。本発明は、この知見に基づくものである。
【０００６】
ところで、毛染め用具の中で、特に部分染め用毛染め用具の中には、液体状の染毛剤を内部に収容した容器を備えたいわゆるマスカラタイプの毛染め用具が存在する。このような毛染め用具にあっては、毛染めをしていないときには、キャップに取り付けられているブラシである塗布部が、上記容器内の染毛剤に浸漬されているため、上記のような一体成形された突出ブラシ歯では、染毛剤の地肌への付着防止を図ることはできない。
【０００７】
【発明が解決しようとする課題】
そこで、本発明は、毛染め中における染毛剤の地肌への付着をほぼ完全に防止できる毛染め用具を提供することを目的とする。
本発明の他の目的は、毛染め中における染毛剤の地肌への付着をほぼ完全に防止できるいわゆるマスカラタイプの毛染め用具を提供することを目的とする。
【０００８】
【課題を解決するための手段】
本発明の上記の課題は、下記（１）〜（６）の構成のいずれかにより達成される。
（１）　把持部、この先端に設けられ、染毛剤塗布作用を行うための塗布部、及び該塗布部の先端または後端から該塗布部の長さ方向に所定間隔離隔されて配置され、塗布部の先端部における高さより高い高さを有し、染毛者の地肌に接触された状態で、該染毛者の地肌表面と前記塗布部との相対角度ないしは間隔を決定する際に使用される間隔保持支点部材を備えていることを特徴とする毛染め用具。
（２）　染毛剤を収容した容器とともに使用される毛染め用具であって、前記容器のキャップとしても作用する把持部、この把持部に取り付けられ、該把持部が前記容器に取り付けられているときには、該容器内に挿入されている染毛剤塗布作用を行うための塗布部、及び該塗布部の先端または後端から該塗布部の長さ方向に所定間隔離隔されて配置され、塗布部の先端部における高さより高い高さを有し、染毛者の地肌に接触された状態で、該染毛者の地肌表面と前記塗布部との相対角度ないしは間隔を決定する際に使用される間隔保持支点部材を備え、この間隔保持支点部材は、前記塗布部の先端または後端から該塗布部の長さ方向に所定間隔離隔されて配置された前記作用位置から離脱可能とされていることを特徴とする毛染め用具。
（３）　染毛剤を収容した容器とともに使用される毛染め用具であって、前記容器のキャップとしても作用する把持部、この把持部に取り付けられ、該把持部が前記容器に取り付けられているときには、該容器内に挿入されている染毛剤塗布作用を行うための塗布部、及び該塗布部の先端または後端から該塗布部の長さ方向に所定間隔離隔されて配置され、塗布部の先端部における高さより高い高さを有し、染毛者の地肌に接触された状態で、該染毛者の地肌表面と前記塗布部との相対角度ないしは間隔を決定する際に使用される間隔保持支点部材を備え、この間隔保持支点部材は、前記塗布部の先端または後端から該塗布部の長さ方向に所定間隔離隔されて配置された前記作用位置と、この作用位置から離れた不作用位置との間で移動できるようになっていることを特徴とする毛染め用具。
（４）　前記不作用位置が、前記把持部の内部である上記（３）の毛染め用具。（５）　前記作用位置が、毛染め作業をしやすくするために、複数存在する上記（３）または（４）の毛染め用具。
（６）　前記間隔保持支点部材は、繰り出し機構に接続された支持部材により支持されており、繰り出し機構を操作することにより、前記間隔保持支点部材を、前記不作用位置から前記作用位置に繰り出すことができるようになっている上記（４）または（５）の毛染め用具。
なお、本発明の毛染め用具は、１液タイプ、２液タイプの染毛剤のいずれにも使用できる。
【０００９】
【発明の作用・効果】
本発明の毛染め用具においては、皮膚と塗布部の間の距離を目と手の感覚で測り、塗布場所の正面・側面各角度及び丸み等の変形に合わせて塗布部の間隔、角度を塗布部先に設けた間隔保持支点部材を基点として容易に設定することができる。この間隔保持支点部材を設けたことで皮膚からの距離及び角度が明確に判ることで皮膚を汚すことがない。
【００１０】
尚、この間隔保持支点部材を今塗布したところに接触させると汚れた間隔保持支点となって、この間隔保持支点部材を次に皮膚に接触させるとこの皮膚は染毛剤で汚れてしまう。したがって、間隔保持支点部材は塗布しないところへ塗布しないところへ、と順送りをする。この順送りすることは、塗布場所が順次送られ、間隔保持支点部材による汚れがなく目的を達することができる。
また、本発明の毛染め用具における間隔保持支点部材は、上記のように塗布部の先端から所定間隔離されて設けられるので、染毛剤塗布時における該染毛剤の跳ねや多少の斜め塗布時においも、染毛剤が付着することがなく、従って、間隔保持支点部材への染毛剤の付着が極力防止できる。
さらに、本発明の毛染め用具においては、間隔保持支点部材を作用位置から離脱可能に設けるようにしたので、いわゆるマスカラタイプの毛染め用具においても間隔保持支点部材を設置することができる。
【００１１】
【発明の実施の形態】
以下、添付図面を参照しつつ、本発明の好ましい実施例による毛染め用具を
第１実施例
先ず、図１を参照して本発明の第１実施例による毛染め用具について説明する。
図１の（ａ）に示した毛染め用具１０は、他の容器（チューブ、瓶）から液状の染毛剤が供給されて、それを染毛者の髪に塗布するタイプの毛染め用具であって、把持部１２、この把持部１２の先端に設けられ、染毛剤塗布作用を行うための塗布部１４、およびこの塗布部１４の先端から該塗布部の長さ方向に所定の間隔Ｇをおいて配置された間隔保持支点部材１６を備えている。この間隔保持支点部材１６は、少なくとも上記塗布部１４の先端の高さより所定高さＴだけ高くされている。このような間隔保持支点部材１６のみを染毛者の地肌に接触させ、これを支点として、塗布部１４と該地肌との間隔および角度を調節し、この状態で塗布部に付着した染毛剤の塗布作業を行う。上記毛染め用具は、全体をプラスチック等で一体成形することができる。
以上の例においては、間隔保持支点部材を、塗布部の先端から該塗布部の長さ方向に所定の間隔Ｇをおいて配置されたものとして説明したが、図１の（ｂ）に示したように、間隔保持支点部材１６’は、塗布部１４の後端から所定の間隔Ｇ離して配置構成してもよい。以下の例では、間隔保持支点部材を塗布部の先端側に配置したもののみについて説明するが、以下の例についても同様に、僅かの変形により、間隔保持支点部材を塗布部の後端側に配置することができる。第２実施例および第３実施例に付いても同様である。
【００１２】
上記Ｇは、２ｍｍ以上、特に３ｍｍ以上であることが好ましい。間隔Ｇが上記の値未満であると、跳ねや斜め塗布により、染毛剤が上記間隔保持支点部材１６に付着してしまう傾向があり、その結果、その染毛剤により地肌を汚してしまう傾向がある。この値に特に上限は無いが、１０ｍｍ程度である。上記Ｔは、０．５〜５．０ｍｍ、特に０．５〜２．０ｍｍであることが好ましい。この高さＴが上記の範囲未満であるときには、間隔保持支点としての機能を果たさなくなる傾向があり、上記を超えると、特に塗布部１４の先端側において、生え際の塗布が行えなくなる傾向があるからである。
【００１３】
図１においては、塗布部１４として櫛の形状をしたものを示したが、この塗布部１４の形状は、図２、図３、図４に示したように、刷毛状、ブラシ状、ヘアブラシ状等であってよい。要するに、この塗布部１４と把持部１２は、従来の形状のものであってもよい。
また、上記塗布部１４自体の横断面形状は、図５の（ａ）〜（ｅ）に示したように、通常の櫛歯状のもの（ａ）、上下方向の中央部をくびれさせた変形櫛歯状のもの（ｂ）、両側の櫛歯列の間にフェルトやスポンジを配した形状のもの（ｃ）、複数の櫛歯列としたもの（ｄ）、両側の櫛歯列の間にブラシを配した形状のもの（ｅ）等とすることができる。
【００１４】
第２実施例
上記第１実施例においては、間隔保持支点部材を塗布部に固定したタイプのものを示したが、図６や図７に示したように、間隔保持支点部材を塗布部先端の作用位置から離脱させることができるようにしてもよい。
図６の毛染め用具２０は、塗布部２４の先端に間隔保持支点部材２６を取り付けるための取付部２４ａを設け、これに取付孔２４ｂを形成する一方、間隔保持支点部材２６に上記の取付孔２４ｂに丁度嵌合する挿入ピン２６ａを設けて、この挿入ピン２６ａの上記取付孔２４ｂへの嵌合、離脱により、間隔保持支点部材２６を上記作用位置とその他の位置である不作用位置を選択的に取ることができるようにしたものである。
【００１５】
図７の毛染め用具３０は、把持部３２に枢着されたガイドバー３２ａの先端に間隔保持支点部材３６を取り付け、この間隔保持支点部材３６が上記の塗布部３４先端の作用位置と不作用位置を選択的にとることができるようにしたものである。この場合、図示したように塗布部３４先端に間隔保持支点部材固定具３４ａを設け、間隔保持支点部材３６を作用位置で固定（例えば、スナップイン方式３４ｂ等で）できるようにすることが好ましい。
【００１６】
第３実施例
本発明の毛染め用具は、把持部を染毛剤容器とし、ネジの回転やノック式でこの容器内の染毛剤を塗布部に供給するタイプ（いわゆる筆ペンタイプ）のものとすることもできる。
この毛染め用具４０の場合には、通常、塗布部４４にキャップ４８が施されるので、間隔保持支点部材４６を上記の図６に示した構造のものとした場合には、図８に示したように、キャップ４８に蓋付きの間隔保持支点部材収容室４８ａを設け、作用位置から離脱した間隔保持支点部材４６をこの収容室４８ａに収容する。したがって、この場合には、収容室内が不作用位置となる。
【００１７】
間隔保持支点部材の構造を上記の図７に示されたガイドバー付きのものとする場合には、図９（ａ）、（ｂ）に示した毛染め用具５０ように、間隔保持支点部材５６を支持するガイドバー５６ａの基部に割り環状取り付け部材５６ｂを設けておき、図９（ａ）示されたキャップ５８に取り付けられた不作用位置と、図９（ｂ）に示された作用位置とを選択的に取れるようにする。
【００１８】
第４実施例
本発明の毛染め用具は、染毛剤を収容した容器とともに使用されるいわゆるマスカラタイプの毛染め用具とすることができる。
図１０〜図１３は、このマスカラタイプの毛染め用具の一例を示す図であり、この毛染め用具１００は、染毛剤を収容する容器１０２を備えている。この毛染め用具においては、把持部１１２が容器１０２のキャップの役目を果たすもので、この把持部１１２すなわちキャップに塗布部１１４が（柄を介してであるが）取り付けられている。このタイプの毛染め用具１００においては、キャップがなされたとき、塗布部が容器内の染毛剤に浸漬されるので、必然的に間隔保持支点部材１１６を塗布部１１４の先端に固定した構造のものは採用できない。
【００１９】
この毛染め用具１００においては、図１３に示したようにキャップ（把持部１１２）の基部付近にネジ１１２ａ一体成形しておき、一方、間隔保持支点部材１１６のガイドバー１１６ａの基部に開口１１６ｂを設け、この開口１１６ｂを上記キャップのネジ１１２ａ嵌合した状態で、上記ネジにナット１１６ｃを螺着し、これにより間隔保持支点部材１１６をキャップ（把持部１１２）に回動可能にとりつけている。
【００２０】
以上の構造により、ガイドバー１１６ａを上記ネジ１１２ａ周りに回動させることで、間隔保持支点部材１１６を、図１０と図１１に示した不作用位置と、図１２に示した塗布部１１４前方（図では下方）の作用位置のいずれかに選択的に位置付けることができる。間隔保持支点部材１１６の不作用位置においては、キャップ（１１２）に図示したように溝１１８を設けておき、この溝１１８内に、間隔保持支点部材１１６が収容されるようにしてもよい。
上記のようなガイドバー付き間隔保持支点部材は、図１４〜２３に示したように、不作用位置においては、キャップに抱き合わせた状態としておき、作用位置においては、キャップに向きを変えて取り付けるようにしてもよい。
【００２１】
図１４〜１８に示した毛染め用具１２０においては、ガイドバー１２６ａの基部に、図９に示した場合と同様の割り環１２６ｂを設け、これにより図１４、１５に示したようにガイドバー１２６ａ付き間隔保持支点部材１２６をキャップ（１２２）に取り付けて不作用位置を取らせる一方、図１７、図１８に示したように、キャップに逆向きに取り付けて、塗布部１２４前方の作用位置を取らせる。なお、上記の図において、符号１２１は染毛剤を収容した容器を示す。
【００２２】
図１９〜２３に示した毛染め用具１３０においては、キャップ１３２の基部に、ガイドバー１３６ａの基部１３６ｂが、図において上下方向の両方向から挿入固定できる挿入固定部１３２ａを設け、ガイドバー１３６ａ付き間隔保持支点部材１３６を図１９と図２０に示した不作用位置と、図２２と図２３に示した作用位置とを選択的に取らせるものである。なお、この例においては、ガイドバー１３６ａの挿入長さを規定するためのストッパー１３６ｃを設けることが好ましい。上記の図において、符号１３１は染毛剤を収容した容器を、符号１３４は塗布部をそれぞれ示す。
ガイドバー付き間隔保持支点部材は、図２４〜図２６に示した態様（上記図１４〜図１８に示した態様に対応）や、図２７〜図２９に示した態様（上記図１９〜図２３に示した態様に対応）で、キャップではなく容器に抱き合わせる形態でもよい。
【００２３】
第４実施例における以上の例においては、間隔保持支点部材を、塗布部の先端から該塗布部の長さ方向に所定の間隔Ｇをおいて配置されたものとして説明したが、間隔保持支点部材は、作用位置において塗布部の後端から所定の間隔離して配置できるようにしてもよい。
例えば、図１４〜図１８を参照して説明した例では、間隔保持支点部材を図３０の（ａ）に符号１２６’で示した構造のものとし、ガイドバー１２６ａ’を短縮すれば、同（ｂ）に示したように、これをキャップ１２２に取り付けることにより、間隔保持支点部材１２６’が、作用位置において塗布部１１４の後端から所定の間隔Ｇ離して配置される。
第４実施例の他の例においても、同様の簡単な変形により、上記と同様に、間隔保持支点部材を作用位置において、塗布部の後端側に配置させることができる。
【００２４】
マスカラタイプの毛染め用具の場合には、間隔保持支点部材１５０の不作用位置を図３１に示したようにキャップ（把持部）１４２内としてもよい。この場合、キャップ１４２の下端部に、間隔保持支点部材１５０を収容するための収容拡径部１４２ａを設けても良い。図３２に、このように間隔保持支点部材１５０が不作用位置にあるときのキャップ１４２を単独で示した。上記の収容拡径部１４２ａは、最終（あるいは最初）間隔保持支点部材として用いることができる。
【００２５】
このように、間隔保持支点部材１５０の不作用位置を図３１に示したキャップ（把持部）１４２内とした場合は、間隔保持支点部材１５０やガイドバー１１６ａが少々液で汚れた場合であっても、それらがキャップ１４２内に収納されるので、ハンドバッグ内等に入れたとき、ハンドバッグの内部や中に入っている物品を汚してしまうようなことがない。
【００２６】
間隔保持支点部材１５０は、ガイドバー１５２を介して繰り出し機構１６０に連結されており、この繰り出し機構１６０により繰り出されて、図３３、３４に示されたような作用位置をとることができる。この繰り出し機構１６０の構造は、間隔保持支点部材１５０を不作用位置から作用位置に繰り出し、またその逆を行い、そして間隔保持支点部材１５０が作用位置にあるとき、支点としての作用を果たすことができる程度にその位置に固定できるものであればどのようなタイプのものであってもよいが、例えば、古くなった刃先を折り、新しい刃先を繰り出すタイプのナイフにおける繰り出し機構（第１繰り出し機構）、リップスティックにおける繰り出し機構（第２繰り出し機構）、ノック式ボールペンにおける繰り出し機構（第１繰り出し機構）等の繰り出し機構を好ましく用いることができる。
【００２７】
図３１に示した繰り出し機構１６０は、上記した第１繰り出し機構および第３繰り出し機構を組み合わせた構造を有している。この繰り出し機構１６０は、ガイドバー１５２の自由端（図３１において、上端）に接触もしくは固定され、図３２等に示したキャップ１４２の長手方向に設けた溝１４４に沿って移動できるようになっている操作部材１６２を備えている。基本的には、この操作部材１６２を、図３２に示した状態からキャップ１４２の口元の方向に移動させれば、これに伴って間隔保持支点部材１５０も図３２等において左方向に移動し、例えば図３３、図３４に示したような作用位置を取ることができる。
【００２８】
作用位置の数等の選択は、塗布部のサイズ、形状、角度等のファクターに基づき任意に設けることができる。
【００２９】
この繰り出し機構１６０においては、間隔保持支点部材１５０を図３３および図３４に示すような作用位置にある程度の力で保持するための保持機構（全体的には図示せず）が設けられている。この保持機構は、キャップ１４２の内筒１４６に上記溝１４４と並行に設けられ、間隔保持支点部材１５０の上記の２つの作用位置にあわせて２つの拡幅部１４６ｂおよび１４６ｃを備えた案内溝１４６ａを備えている。保持機構は、操作部材１６２の案内溝１４６ａに嵌合した部分等に設けられた山形のバネ位置決め部材（図示せず）を備えている。このバネ位置決め部材は、操作部材１６２の操作により、案内溝１４６ａの狭幅部分を通っているときには、押しつぶされて案内溝１４６ａを通過し、上記の拡幅部１４６ｂ、１４６ｃに来たとき、突出回復してこの拡幅部に嵌合して、所定の力で操作部材１６２をその位置に保持するものである。この操作部材１６２の保持により、間隔保持支点部材１５０は、図３３や図３４に示したような作用位置に所定の力で保持されている。
【００３０】
間隔保持支点部材１５０を上記の作用位置から移動させるには、上記所定の力以上の力で上記操作部材１６２を操作すれば、バネ位置決め部材が上記拡幅部から脱出し、移動できるようになっている。
【００３１】
本繰り出し機構１６０においては、上記内筒１４６の内部にコイルスプリング１６４が設けられている。このスプリング１６４は、間隔保持支点部材１５０が作用位置に配置されているとき、操作部材１６２をキャップ１４２のエンド側に付勢するものであり、上記間隔保持支点部材１５０のキャップ１４２内への収納動作を行うとき、上記バネ位置決め部材が溝１４４の最下部（キャップ１４２のエンドに近い側）の拡幅部１４６ｂを通過させられると、このスプリング１６４の力により、間隔保持支点部材１５０を不作用位置に自動的に移動させるように操作部材１６２を図３１において上方に移動させる。この移動の停止（すなわち、不作用位置への位置決め）は、図３５において内筒１４６の上部に設けられたストッパー１４６ｄによって行われる。この不作用位置への移動を容易にするため、上記案内溝１４６ａのストッパー１４６ｄ側の部分１４６ｅは、上記拡幅部と同様幅が広げられていることが好ましい。
【００３２】
第４実施例におけるようなマスカラタイプの毛染め用具の場合には、キャップである把持部から塗布部自体までの長さが長いので、実際の塗布の際に手がぶれて、作業がし難いと言う問題があるが、本例においては、間隔保持支点部材のガイドバーを把持部とすることもできるのでこのような手ぶれがなく、正確に毛染めを行うことができる。また、塗布部の柄の部分が長いので、柄に柔らかい材料を用いると、塗布作業中にこれが撓んでしまい、塗布作業がやりにくいと言う問題が生ずるおそれがあるが、間隔保持支点部材やガイドバーに塗布部の柄を支持する部分（例えば、間隔保持支点部材を円盤状にし、中心部にこの柄が通る開口を設けておき、円盤の内周で柄を支持する構造）を設けておけば、実質的な柄の長さが間隔保持支点部材からの長さになるため、柄が撓んでしまったりすることなく、正確に塗布作業が行えるようになる。以上の効果は、本毛染め用具をマスカラに用いた場合も同様である。従って、本毛染め用具は、マスカラ用としても用いることができる。
【００３３】
以上のガイドバー付きの間隔保持支点部材の形状は、目的に沿うものであればどのような形状のものであってもよく、例えば図３６の（ａ）〜（ｇ）に示したような形状を取ることができる。また、ガイドバーの数も、目的に応じて、２本、３本、４本や、円筒状等とすることもできる。
【００３４】
以上の間隔保持支点部材およびガイドバーは、非接着性のポリエチレン、ＰＰ等の材料で形成することが好ましい。これにより、たとえ使用中に間隔保持支点部材および／またはガイドバーが液（ウオータープルーフ液であったとしても）で汚れたとしても、簡単にディッシュペーパー等で拭き取ることができ、常に綺麗な状態に維持することができる。（なお、皮膚に付いたウオータープルーフ液は、専用のリムーバー等によらなければ拭き取ることができない。）
以上の構成の本発明による毛染め用具によれば、地肌を汚すことなく、的確に染毛剤を塗布することができる。
【図面の簡単な説明】
【図１】本発明の第１実施例による毛染め用具の斜視図である。
【図２】本発明の第１実施例の変形例の斜視図である。
【図３】本発明の第１実施例の他の変形例の斜視図である。
【図４】本発明の第１実施例の更に他の変形例の斜視図である。
【図５】塗布部の横断面形状の例を示す図である。
【図６】本発明の第２実施例による毛染め用具の斜視図である。
【図７】本発明の第２実施例の変形例の斜視図である。
【図８】本発明の第３実施例による毛染め用具の斜視図である。
【図９】本発明の第３実施例の変形例の斜視図である。
【図１０】本発明の第４実施例による毛染め用具の正面図である。
【図１１】図１０に示した毛染め用具の側面図である。
【図１２】図１０に示した毛染め用具の使用状態（間隔保持支点部材の作用位置）を示す図である。
【図１３】図１０に示した毛染め用具の分解図である。
【図１４】本発明の第４実施例の変形例による毛染め用具を示す図であり、（ａ）は正面図、（ｂ）は線Ａ−Ａに沿う断面図である。
【図１５】（ａ）は図１４に示した毛染め用具の側面図、（ｂ）は線Ｂ−Ｂに沿う断面図である。
【図１６】図１４に示した毛染め用具のガイドバー付き間隔保持支点部材を示す斜視図である。
【図１７】図１４に示した毛染め用具の使用状態（間隔保持支点部材の作用位置）を示す正面図である。
【図１８】図１４に示した毛染め用具の使用状態（間隔保持支点部材の作用位置）を示す側面図である。
【図１９】本発明の第４実施例の他の変形例による毛染め用具を示す図であり、（ａ）は正面図、（ｂ）は線Ｃ−Ｃに沿う断面図である。
【図２０】（ａ）は図１９に示した毛染め用具の側面図、（ｂ）は線Ｄ−Ｄに沿う断面図である。
【図２１】図１９に示した毛染め用具のガイドバー付き間隔保持支点部材を示す斜視図である。
【図２２】図１９に示した毛染め用具の使用状態（間隔保持支点部材の作用位置）を示す正面図である。
【図２３】図１９に示した毛染め用具の使用状態（間隔保持支点部材の作用位置）を示す側面図である。
【図２４】本発明の第４実施例の更に他の変形例による毛染め用具の容器部における正面図である。
【図２５】図２４に示した毛染め用具の側面図である。
【図２６】図２４に示した毛染め用具の使用状態（間隔保持支点部材の作用位置）を示す正面図である。
【図２７】本発明の第４実施例の更に他の変形例による毛染め用具の容器部における正面図である。
【図２８】図２７に示した毛染め用具の側面図である。
【図２９】図２７に示した毛染め用具の使用状態（間隔保持支点部材の作用位置）を示す正面図である。
【図３０】図１４〜図１８に示した毛染め用具の変形例を示す図であり、（ａ）はガイドバー付き間隔保持支点部材の変形例の斜視図、（ｂ）はこの間隔保持支点部材をキャップに取り付けた状態で示した側面図である。
【図３１】図１４〜図１８に示した毛染め用具の他の変形例を示す図である。
【図３２】図３１に示した毛染め用具において、間隔保持支点部材を不作用位置に配置した状態、すなわち見えない状態で示した斜視図である。
【図３３】図３１に示した毛染め用具において、間隔保持支点部材を１つの作用位置に配置した状態で示した斜視図である。
【図３４】図３１に示した毛染め用具において、間隔保持支点部材を他の作用位置に配置した状態で示した斜視図である。
【図３５】図３１に示した毛染め用具において、間隔保持支点部材の一部を構成するキャップの内筒をしめす図である。
【図３６】間隔保持支点部材の形状例を示す図である。
【符号の説明】
１０　毛染め用具
１２　把持部
１４　塗布部
１６　間隔保持支点部材
Ｔ　　所定高さ
Ｇ　　間隔
【図１】
2004105691.tif 000003
【図２】
2004105691.tif 000004
【図３】
2004105691.tif 000005
【図４】
2004105691.tif 000006
【図５】
2004105691.tif 000007
【図６】
2004105691.tif 000008
【図７】
2004105691.tif 000009
【図８】
2004105691.tif 000010
【図９】
2004105691.tif 000011
【図１０】
2004105691.tif 000012
【図１１】
2004105691.tif 000013
【図１２】
2004105691.tif 000014
【図１３】
2004105691.tif 000015
【図１４】
2004105691.tif 000016
【図１５】
2004105691.tif 000017
【図１６】
2004105691.tif 000018
【図１７】
2004105691.tif 000019
【図１８】
2004105691.tif 000020
【図１９】
2004105691.tif 000021
【図２０】
2004105691.tif 000022
【図２１】
2004105691.tif 000023
【図２２】
2004105691.tif 000024
【図２３】
2004105691.tif 000025
【図２４】
2004105691.tif 000026
【図２５】
2004105691.tif 000027
【図２６】
2004105691.tif 000028
【図２７】
2004105691.tif 000029
【図２８】
2004105691.tif 000030
【図２９】
2004105691.tif 000031
【図３０】
2004105691.tif 000032
【図３１】
2004105691.tif 000033
【図３２】
2004105691.tif 000034
【図３３】
2004105691.tif 000035
【図３４】
2004105691.tif 000036
【図３５】
2004105691.tif 000037
【図３６】
2004105691.tif 000038